(57)【要約】【課題】操作スイッチへの意図しない接触により操作スイッチが動作するのを抑制するとともに使用者の使い勝手を向上した天板昇降式什器を提供する。【解決手段】天板と、天板を上下方向に移動させる昇降機構ユニットを有し、天板を支持する脚体と、昇降機構ユニットを駆動させるための入力操作を行う操作部４２を有する操作スイッチ４と、操作部４２を前方から覆う不使用位置Ｐ４及び操作部４２を前方に露出させる使用位置の間で操作スイッチ４に対して相対移動可能なカバー部材５と、を備える。不使用位置Ｐ４において、カバー部材５は、天板昇降式什器の前方から見て、操作スイッチ４の全体を覆っている。また、カバー部材５は、カバー部材５を不使用位置に係留する施錠部５２を有する。【選択図】図３
2020178772.tif 000002
【特許請求の範囲】
【請求項１】
天板と、
前記天板を上下方向に移動させる昇降機構ユニットを有し、前記天板を支持する脚体と、
前記昇降機構ユニットを駆動させるための入力操作を行う操作部を有する操作スイッチと、
前記操作部を前方から覆う不使用位置及び前記操作部を前方に露出させる使用位置の間で前記操作スイッチに対して相対移動可能なカバー部材と、
を備えることを特徴とする天板昇降式什器。
【請求項２】
前記操作スイッチ及び前記カバー部材の一方の部材は、前記操作部と前記カバー部材との相対位置を前記不使用位置に係留する施錠部を有することを特徴とする請求項１に記載の天板昇降式什器。
【請求項３】
前記操作スイッチ及び前記カバー部材は、前記天板の下面に設けられていることを特徴とする請求項１又は請求項２に記載の天板昇降式什器。
【請求項４】
前記不使用位置において、前記カバー部材は、前記天板昇降式什器の前方から見て、前記操作スイッチの全体を覆っていることを特徴とする請求項１から請求項３のいずれか１項に記載の天板昇降式什器。
【請求項５】
前記カバー部材が前記使用位置と前記不使用位置との間を移動可能に構成されていることを特徴とする請求項１から請求項４のいずれか１項に記載の天板昇降式什器。
【請求項６】
前記カバー部材は、前記使用位置と前記不使用位置との間を、左右方向にスライド移動可能に構成されていることを特徴とする請求項５に記載の天板昇降式什器。
【請求項７】
前記カバー部材は、
前記操作スイッチの前方に位置し、前記不使用位置において前記操作部を前方から覆う閉塞部と、
前記閉塞部の上端部のうち、前記操作スイッチに対して左右方向の一方側に位置する部分から前記天板の下面に沿って後方に延びる取付部と、
を有し、
前記カバー部材は、前記取付部に形成された左右方向に延びる長孔を介して前記天板にスライド移動可能に取り付けられていることを特徴とする請求項６に記載の天板昇降式什器。
【発明の詳細な説明】
【技術分野】
【０００１】
本発明は、天板昇降式什器に関するものである。
【背景技術】
【０００２】
オフィスや公共施設等の執務空間においては、執務者に作業エリアを提供するためにデスクが配設されているのが一般的である。このようなデスクにおいて、作業のし易い天板高さは、執務者の体格や性別、嗜好等によって個々によって大きく異なる。しかし、天板高さが一定である一般的なデスクでは前記の実状に柔軟に対応できない。そのため、天板高さを上下に変更可能とした天板昇降式デスクが提供されている。
【０００３】
例えば特許文献１には、天板と、天板を上下方向に移動させる昇降機構ユニットを有し、天板を支持する脚体と、昇降機構ユニットを駆動させる操作部（操作スイッチ）と、を備えた天板昇降式デスクの構成が開示されている。特許文献１に記載の技術によれば、操作部に設けられた操作レバーの端部を指等で上方、下方に移動させることにより、天板を上方、下方にそれぞれ移動させることができるとされている。
【先行技術文献】
【特許文献】
【０００４】
【特許文献１】特開２０１７−８６４３１号公報
【発明の概要】
【発明が解決しようとする課題】
【０００５】
しかしながら、操作スイッチに誰でもアクセスできる構造である場合、意図せずに操作スイッチに接触することにより昇降動作してしまうおそれがある。特に、学校等の不特定多数の人物が出入りする空間に天板昇降式デスクが設置された場合、使用者以外の人物が操作スイッチにアクセスすることによって昇降機構ユニットが駆動され、使用者の所望の設定から変更されるおそれがある。
【０００６】
そこで、本発明は、操作スイッチへの意図しない接触により操作スイッチが動作するのを抑制するとともに使用者の使い勝手を向上した天板昇降式什器を提供することを目的とする。
【課題を解決するための手段】
【０００７】
上記課題の解決手段として、本発明の態様に係る天板昇降式什器は、天板と、前記天板を上下方向に移動させる昇降機構ユニットを有し、前記天板を支持する脚体と、前記昇降機構ユニットを駆動させるための入力操作を行う操作部を有する操作スイッチと、前記操作部を前方から覆う不使用位置及び前記操作部を前方に露出させる使用位置の間で前記操作スイッチに対して相対移動可能なカバー部材と、を備える。
【０００８】
この構成によれば、操作部を操作することにより、天板が上下方向に移動する。カバー部材は操作スイッチに対して相対移動可能とされているので、操作部の使用時にカバー部材を使用位置へ配置することにより、操作部を前方に露出させることができる。これにより、操作部へ容易にアクセスできる。
一方、操作部の不使用時にカバー部材を不使用位置へ配置することにより、操作部を前方から閉塞することができる。これにより、操作スイッチへの意図しない接触により操作スイッチが動作するのを抑制できる。また、カバー部材が操作部を閉塞することにより、使用者以外の人物による操作スイッチへのアクセスを抑制できる。これにより、天板の高さを使用者にとって最適な高さに維持しておくことができる。よって、使用者の使い勝手を向上できる。
したがって、操作スイッチへの意図しない接触により操作スイッチが動作するのを抑制するとともに使用者の使い勝手を向上した天板昇降式什器を提供できる。
【０００９】
上記態様において、前記操作スイッチ及び前記カバー部材の一方の部材は、前記操作部と前記カバー部材との相対位置を前記不使用位置に係留する施錠部を有する構成としてもよい。
【００１０】
この構成によれば、操作スイッチ及びカバー部材の一方は施錠部を有するので、施錠部により施錠することにより、操作部とカバー部材との相対位置を不使用位置に係留できる。また、施錠部の鍵を所有する使用者以外の人物による操作スイッチへのアクセスを制限できる。よって、操作スイッチへの意図しない接触により操作スイッチが動作するのを抑制し、使用者の使い勝手を向上できる。
【００１１】
上記態様において、前記操作スイッチ及び前記カバー部材は、前記天板の下面に設けられている構成としてもよい。
【００１２】
この構成によれば、作業面である天板の上面に操作スイッチ及びカバー部材を配置する必要がないので、作業面を広く確保できる。よって、使用者の作業効率を向上できる。また、操作スイッチ及びカバー部材は天板の下面に設けられているので、操作スイッチ及びカバー部材が例えば什器の側部や下部に設けられた場合と比較して、使用者の下肢が接触することによる意図しない操作スイッチの作動を抑制できる。よって、天板昇降式什器の使い勝手を向上できる。
【００１３】
上記態様において、前記不使用位置において、前記カバー部材は、前記天板昇降式什器の前方から見て、前記操作スイッチの全体を覆っている構成としてもよい。
【００１４】
この構成によれば、カバー部材により操作スイッチの全体を覆うことで、操作スイッチへの意図しない接触をより一層抑制できる。また、前方から見て操作スイッチの全体が覆われるので、使用者以外の人物から操作スイッチを発見し難い。よって、使用者以外の人物による操作スイッチへのアクセスをより一層抑制し、使用者にとっての使い勝手を向上できる。
【００１５】
上記態様において、前記カバー部材が前記使用位置と前記不使用位置との間を移動可能に構成されている構成としてもよい。
【００１６】
この構成によれば、カバー部材が移動可能に構成されているので、操作スイッチを天板昇降式什器に固定できる。これにより、操作スイッチの配線を天板昇降式什器に固定できる。よって、操作スイッチが移動可能に構成される場合と比較して、カバー部材及び操作スイッチの構成を簡素化できる。
【００１７】
上記態様において、前記カバー部材は、前記使用位置と前記不使用位置との間を、左右方向にスライド移動可能に構成されている構成としてもよい。
【００１８】
この構成によれば、カバー部材が左右方向にスライド移動することにより、カバー部材を使用位置と不使用位置とに配置できる。このようにカバー部材が左右方向に移動するので、前後方向の空間を広く確保できる。よって、操作スイッチ及びカバー部材の前後方向の寸法を小型化できる。また、操作スイッチを天板下面における前側に配置できる。よって、操作スイッチの操作性を向上できる。
【００１９】
上記態様において、前記カバー部材は、前記操作スイッチの前方に位置し、前記不使用位置において前記操作部を前方から覆う閉塞部と、前記閉塞部の上端部のうち、前記操作スイッチに対して左右方向の一方側に位置する部分から前記天板の下面に沿って後方に延びる取付部と、を有し、前記カバー部材は、前記取付部に形成された左右方向に延びる長孔を介して前記天板にスライド移動可能に取り付けられている構成としてもよい。
【００２０】
この構成によれば、カバー部材は閉塞部を有するので、不使用位置において閉塞部が操作部の前方を覆うことにより、操作部へのアクセスを抑制できる。カバー部材は取付部を有し、取付部に形成された長孔を介して天板にカバー部材が取り付けられているので、簡素な構成によりカバー部材を左右方向にスライド移動させ、使用位置と不使用位置とに配置できる。また、操作スイッチに対して左右方向にずれた位置に長孔が設けられるので、操作スイッチ及びカバー部材の前後方向の寸法を小型化できる。よって、使用者の使い勝手を向上した天板昇降式什器とすることができる。
【発明の効果】
【００２１】
本発明に係る態様によれば、操作スイッチへの意図しない接触により操作スイッチが動作するのを抑制するとともに使用者の使い勝手を向上した天板昇降式什器を提供できる。
【図面の簡単な説明】
【００２２】
【図１】本発明の第１実施形態における天板昇降式什器の外観斜視図である。
【図２】本発明の第１実施形態における操作スイッチの断面図である。
【図３】本発明の第１実施形態における操作スイッチ及びカバー部材の不使用位置における上面図である。
【図４】上記操作スイッチ及びカバー部材の不使用位置における正面図である。
【図５】上記操作スイッチ及びカバー部材の不使用位置における側面図である。
【図６】上記操作スイッチ及びカバー部材の使用位置における上面図である。
【図７】上記操作スイッチ及びカバー部材の使用位置における正面図である。
【図８】本発明の第１実施形態における錠本体の正面図である。
【図９】本発明の第１実施形態における錠本体の側面図である。
【図１０】本発明の第１実施形態における施錠部の分解図である。
【図１１】上記施錠部の上面図である。
【図１２】本発明の第２実施形態における操作スイッチ及びカバー部材の不使用位置における上面図である。
【図１３】上記操作スイッチ及びカバー部材の使用位置における上面図である。
【図１４】本発明の第３実施形態における操作スイッチ及びカバー部材の側面図である。
【図１５】本発明の第４実施形態における操作スイッチ及びカバー部材の側面図である。
【図１６】本発明の第５実施形態における操作スイッチ及びカバー部材の上面図である。
【発明を実施するための形態】
【００２３】
（第１実施形態）
（天板昇降式什器）
以下、本発明の実施形態について図面を参照して説明する。
図１は、本発明の第１実施形態における天板昇降式什器１の外観斜視図である。
天板昇降式什器１は、例えばオフィスや公共施設等の執務空間に配置され、使用者が執務を行うためのデスク等である。天板昇降式什器１は、天板２と、床面Ｆ上に配置される脚体３と、操作スイッチ４と、カバー部材５（図３参照）と、を備える。
以下の説明において、床面Ｆに直交する方向を上下方向（矢印ＵＰが上方）とし、上下方向に直交する２方向をそれぞれ前後方向（矢印ＦＲが前方）及び左右方向（矢印ＬＨ左方）として説明する。なお、左右方向は、天板昇降式什器１に使用者が正対した状態において使用者から見た左右方向と一致する。
【００２４】
（天板）
天板２は、上下方向から見て左右方向に長辺を有する矩形状に形成されている。天板２は、上面２ａが作業面とされている。天板２のうち、前方に位置する前辺２ｆは、執務者（使用者）が主に使用する辺である。
【００２５】
（脚体）
脚体３は、床面Ｆから上方へ向かって起立している。脚体３は、天板２を支持している。脚体３は、左右方向に離間して一対設けられている。一対の脚体３は、いずれも同様の構成であるため、以下の説明では一つの脚体３を例にして説明する。脚体３は、下部支持体３１と、上部支持体３２と、昇降機構ユニット３３と、を備える。なお、脚体３の個数は一対に限らず、単数や３個以上であってもよい。
【００２６】
下部支持体３１は、床面Ｆ上に配置されている。下部支持体３１は、前後方向に延びる接地フレーム３４と、接地フレーム３４の前端部及び後端部の下面にそれぞれ設けられ床面Ｆに接触するアジャスター３５と、を備える。接地フレーム３４は、例えば鋼板を折り曲げて角筒状に形成して構成されている。各アジャスター３５は、公知の構成のものである。接地フレーム３４に対してアジャスター３５を上下方向に移動させることで、天板昇降式什器１の不陸を調整することができる。
【００２７】
上部支持体３２は、下部支持体３１の上方に配置されている。上部支持体３２は、上端部が天板２を支持している。上部支持体３２は、接地フレーム３４と同様に構成されている。上部支持体３２は、天板２の下面２ｂに図示しないネジ部材等により固定されている。
【００２８】
昇降機構ユニット３３は、下部支持体３１と上部支持体３２との間を伸縮可能に連結している。昇降機構ユニット３３は、従来公知の構成からなる電動式のものである。昇降機構ユニット３３は、外径寸法の異なる複数の角筒３３ａ，３３ｂ，３３ｃと、角筒３３ａ，３３ｂ，３３ｃの内部に収容された駆動機構３７と、を備える。角筒３３ａ，３３ｂ，３３ｃは互いに上下方向に相対移動可能に嵌り合っている。駆動機構３７を駆動することにより、昇降機構ユニット３３は、下部支持体３１と上部支持体３２との間を伸縮可能に連結し、天板２を上下方向に移動させる。
【００２９】
（操作スイッチ）
操作スイッチ４は、天板２の下面２ｂに設けられている。操作スイッチ４は、天板２の前辺２ｆ及び右辺２ｒが交わる角部に設けられている。操作スイッチ４は、昇降機構ユニット３３を駆動するためのものである。
図２は、本発明の第１実施形態における操作スイッチ４の断面図である。
操作スイッチ４は、筐体４１と、操作部４２と、操作基板４３と、昇降制御部４４（図１参照）と、を備える。
【００３０】
筐体４１は、天板２の下面２ｂに取り付けられている。筐体４１は、前端部が前方及び上下両側に開口した箱状に形成されている。筐体４１の上壁は、天板２の下面２ｂに固定されている。筐体４１には、支持溝１２が設けられている。
支持溝１２は、筐体４１の左右の側壁のうち、筐体４１の内側を向く面にそれぞれ設けられている。支持溝１２は、左右の側壁から筐体４１の左右方向における外側に向かって凹んでいる。
【００３１】
操作部４２は、筐体４１の内部に収容されている。操作部４２は、昇降機構ユニット３３を駆動させるための入力操作を行うための部材である。操作部４２は、筐体４１の内部において移動可能に構成されている。操作部４２は、軸部４５と、第一連結部４６と、操作入力部４７と、第二連結部４８と、を有する。
【００３２】
軸部４５は、左右方向に沿う軸線Ｃを有する円柱状に形成されている。軸部４５の左右両端部は、筐体４１の支持溝１２に支持されている。軸部４５は、支持溝１２内において、軸線Ｃを回転中心として回動可能とされている。
第一連結部４６は、軸部４５から下方に向かって延びている。第一連結部４６は、軸部４５と一体形成されている。
【００３３】
操作入力部４７は、第一連結部４６の下端部に接続されている。操作入力部４７は、第一連結部４６と一体形成されている。操作入力部４７は、板状に形成されている。操作入力部４７は、第一連結部４６の下端部から天板２の下面２ｂに沿って前後方向に延びている。前後方向において、操作入力部４７の前端部４７ａは、筐体４１の前端部とほぼ同じ位置まで延びている。操作入力部４７は、軸部４５が回動することにより、前端部４７ａが中立位置Ｐ１から上方及び下方にそれぞれ回転移動可能とされている。すなわち、操作入力部４７は、例えば使用者の指Ｍにより荷重が入力されることにより、中立位置Ｐ１と、前端部４７ａが中立位置Ｐ１よりも上方に位置する上方位置Ｐ２と、前端部４７ａが中立位置Ｐ１よりも下方に位置する下方位置Ｐ３と、の間で回動可能とされている。なお、操作入力部４７は、荷重が入力されない無負荷状態において中立位置Ｐ１に位置するように設定されている。
【００３４】
第二連結部４８は、軸部４５から後方に向かって延びている。第二連結部４８は、軸部４５と一体形成されている。第二連結部４８の後端部には、凹部４８ａが形成されている。凹部４８ａは、第二連結部４８の後端部から前方に向かって凹んでいる。
【００３５】
操作基板４３は、筐体４１の内部に収容されている。操作基板４３は、操作部４２よりも後方に配置されている。操作基板４３は、基板１６と、トグルスイッチ１７と、を有する。
基板１６は、板状に形成されている。基板１６は、筐体４１に固定されている。
トグルスイッチ１７は、基板１６に取り付けられている。トグルスイッチ１７は、レバー１８が前方を向くように配置されている。レバー１８は、第二連結部４８の凹部４８ａに係合している。操作入力部４７が上方及び下方へ移動することにより、トグルスイッチ１７に対してレバー１８が上下に移動する。具体的に、操作入力部４７が上方位置Ｐ２に移動したとき、レバー１８の先端部が下方に位置している。操作入力部４７が下方位置Ｐ３に移動したとき、レバー１８の先端部は上方に位置している。トグルスイッチ１７には不図示の配線が接続され、レバー１８が上下に移動することにより、トグルスイッチ１７から昇降制御部４４（図１参照）へ信号が送信される。
【００３６】
図１に戻って、昇降制御部４４は、天板２に内蔵されている。昇降制御部４４は、不図示の配線等によりトグルスイッチ１７と電気的に接続されている。昇降制御部４４は、トグルスイッチ１７から受信した信号に基づき、脚体３の駆動機構３７に昇降機構ユニット３３を動作させるための信号を送信する。
【００３７】
（カバー部材）
図３は、本発明の第１実施形態における操作スイッチ４及びカバー部材５の不使用位置Ｐ４における上面図である。図４は、上記操作スイッチ４及びカバー部材５の不使用位置Ｐ４における正面図である。図５は、上記操作スイッチ４及びカバー部材５の不使用位置Ｐ４における側面図である。図６は、上記操作スイッチ４及びカバー部材５の使用位置Ｐ５における上面図である。図７は、上記操作スイッチ４及びカバー部材５の使用位置Ｐ５における正面図である。
図３から図５に示すように、カバー部材５は、天板２の下面に設けられている。カバー部材５は、カバー部材５が操作スイッチ４を少なくとも前方から覆う不使用位置Ｐ４（図３及び図４参照）と、カバー部材５が操作スイッチ４よりも左方に位置する使用位置Ｐ５（図６及び図７参照）と、の間で操作スイッチ４に対して左右方向に相対移動可能に取り付けられている。図４に示すように、不使用位置Ｐ４において、カバー部材５は、前方から見て操作スイッチ４のほぼ全体を覆っている。図７に示すように、使用位置Ｐ５において、カバー部材５は、操作部４２を前方に露出させている。
【００３８】
図３から図５に示すように、カバー部材５は、カバー本体５１と、施錠部５２と、を備える。
【００３９】
（カバー本体）
カバー本体５１は、例えば板金部品である。カバー本体５１は、板金を曲げることにより、一部に開口を有する箱状に形成されている。具体的に、カバー本体５１は、閉塞部５１ａと、取付部５１ｂと、後壁５１ｃと、側壁５１ｄと、底壁５１ｅと、起立部５１ｆと、を有する。
【００４０】
図４に示すように、閉塞部５１ａは、操作スイッチ４の前方に配置されている。閉塞部５１ａは、前後方向を厚み方向とする平板状に形成されている。閉塞部５１ａは、左右方向に長辺を有する長方形状に形成されている。不使用位置Ｐ４において、閉塞部５１ａは、右半部において少なくとも操作スイッチ４の操作部４２を前方から覆っている。本実施形態では、閉塞部５１ａは、筐体４１の左端部を除く操作スイッチ４の全体を覆っている。但し、操作スイッチ４の全体を覆っていてもよい。閉塞部５１ａの左右方向の中間部には、貫通孔５３が形成されている。貫通孔５３は、閉塞部５１ａを前後方向に貫通している。貫通孔５３は、例えば円形状に形成されている。
【００４１】
図３に示すように、取付部５１ｂは、閉塞部５１ａの上端部から天板２の下面２ｂに沿って後方へ延びている。取付部５１ｂは、上壁６１と、後方延長部６２と、長孔６３と、を有する。
上壁６１は、閉塞部５１ａの上端部のうち、左右方向の中央部を含む左方側に位置する部分に接続されている。上下方向から見て、上壁６１は、不使用位置Ｐ４において操作スイッチ４の左端よりも左方に設けられている。上壁６１は、天板２の下面２ｂに当接又は近接している。
後方延長部６２は、上壁６１の右端部に接続されている。後方延長部６２は、上壁６１の後方側の右端部から右方に向かって延びている。上下方向から見て、後方延長部６２は、不使用位置Ｐ４において操作スイッチ４の後端よりも後方に設けられている。後方延長部６２は、上壁６１と同一平面上に形成されている。
【００４２】
長孔６３は、取付部５１ｂを上下方向に貫通している。長孔６３は、左右方向に沿って長手方向を有する。長孔６３は、第一長孔６４と、第二長孔６５と、を有する。第一長孔６４は、上壁６１に形成されている。具体的に、第一長孔６４は、上壁６１の前方部に形成されている。第二長孔６５は、後方延長部６２に形成されている。第二長孔６５の長手方向の長さは、第一長孔６４の長手方向の長さと同等となるように形成されている。
長孔６３にねじ１１等の締結具を挿通することにより、長孔６３を介してカバー部材が天板２の下面２ｂに対してスライド可能に取り付けられている。
なお、長孔６３の個数及び形成箇所は、上述した実施形態に限られない。
【００４３】
ここで、不使用位置Ｐ４において、ねじ１１は、長孔６３の長手方向のうち操作スイッチ４から離間する側の端部（左端）に位置している。一方、図６に示すように、使用位置Ｐ５において、ねじ１１は、長孔６３の長手方向のうち操作スイッチ４に近接する側の端部（右端）に位置している。
【００４４】
図５に示すように、後壁５１ｃは、取付部５１ｂの後端部から下方に延びている。後壁５１ｃの上下方向の高さ寸法は、閉塞部５１ａの上下方向の高さ寸法よりも小さい。
【００４５】
側壁５１ｄは、取付部５１ｂの左端部から下方に延びている。上下方向において、側壁５１ｄの下端部の位置は、閉塞部５１ａの下端部と同等の高さとなるように形成されている。
なお、カバー本体５１の後壁５１ｃ及び側壁５１ｄはなくてもよい。
【００４６】
底壁５１ｅは、閉塞部５１ａの下端部から後方へ延びている。底壁５１ｅの前後方向の長さ寸法は、取付部５１ｂの前後方向の長さ寸法よりも小さい。具体的に、底壁５１ｅの後端部は、前後方向において第一長孔６４と同等又は第一長孔６４よりも前方に位置している。これにより、第一長孔６４にねじ等を締結する際に、工具を第一長孔６４に対してほぼ垂直に配置できる。よって、締結作業を行い易い。底壁５１ｅは、操作スイッチ４の略前半部を下方から覆っている。
【００４７】
起立部５１ｆは、底壁５１ｅの後端部から上方へ延びている。起立部５１ｆの上下方向の高さ寸法は、閉塞部５１ａの上下方向の高さ寸法よりも小さい。起立部５１ｆの上端部は、後壁５１ｃの下端部よりも下方に位置している。
【００４８】
このように、本実施形態において、底壁５１ｅが操作スイッチ４の前半部を下方から覆っている。これにより、例えば操作スイッチ４の下方から指を回り込ませることによる操作部４２の操作を行い難い。また、起立部５１ｆが操作スイッチ４に近接する方向に延びている。これにより、カバー本体５１と操作スイッチ４との間の隙間を小さくできる。よって、カバー部材５が不使用位置Ｐ４にある状態で、使用者以外の人物による操作スイッチ４へのアクセスを抑制できる。
【００４９】
（施錠部）
図３及び図４に示すように、施錠部５２は、カバー本体５１に取り付けられている。具体的に、施錠部５２は、閉塞部５１ａの後方を向く面のうち、左右方向の中央部に固定されている。施錠部５２は、カバー部材５を不使用位置Ｐ４に係留するための部材である。
施錠部５２は、錠本体５７と、錠支持部５８と、押さえ部材５９（図１０参照）と、を有する。
【００５０】
図８は、本発明の第１実施形態における錠本体５７の正面図である。図９は、本発明の第１実施形態における錠本体５７の側面図である。
錠本体５７は、鍵（不図示）を差し込んで回転させることにより、施錠及び開錠が可能な錠である。錠本体５７は、鍵挿入部６７と、突出片６８と、を有する。
鍵挿入部６７は、前後方向に軸方向が沿う円柱状に形成されている。図８に示すように、前方から見て、鍵挿入部６７には鍵穴６７ａが設けられている。鍵穴６７ａには不図示の鍵が挿入可能に構成されている。図９に示すように、鍵挿入部６７の外周部には、左右方向に延びる固定溝６９が形成されている。固定溝６９は、鍵挿入部６７の上部及び下部にそれぞれ形成されている。
【００５１】
突出片６８は、鍵挿入部６７の後端部に取り付けられている。突出片６８は、上下に移動可能に構成されている。具体的に、鍵穴６７ａに鍵を挿入した状態で、前方から見て反時計回り（矢印Ｌ参照）に鍵を回転させることにより、突出片６８は、突出片６８が下方に位置する開錠位置Ｐ６から突出片６８が開錠位置Ｐ６よりも上方に位置する施錠位置Ｐ７まで移動する。さらに、突出片６８が施錠位置Ｐ７に位置している状態で、前方から見て時計回り（矢印Ｌと反対方向）に鍵を回転させることにより、突出片６８は、施錠位置Ｐ７から開錠位置Ｐ６まで移動する。
【００５２】
図４及び図５に示すように、施錠部５２がカバー部材５に取り付けられた状態において、突出片６８は、突出片６８が天板２の下面２ｂよりも上方及び下方に移動可能とされている。具体的に、開錠位置Ｐ６において、突出片６８は天板２の下面２ｂよりも下方に位置している。施錠位置Ｐ７において、突出片６８は天板２の下面２ｂよりも上方に位置している。天板２の下面２ｂには、施錠位置Ｐ７における突出片６８を収容可能な係合凹部２０が設けられている。施錠位置Ｐ７において、突出片６８が係合凹部２０に係合することにより、カバー部材５の移動が制限される。換言すれば、突出片６８が施錠位置Ｐ７へ移動することにより、カバー部材５は不使用位置Ｐ４に係止される。
【００５３】
図１０は、本発明の第１実施形態における施錠部５２の分解図である。図１１は、上記施錠部５２の上面図である。
図１０に示すように、錠支持部５８は、例えば板金部品である。錠支持部５８は、接合部７１と、第一接続部７２と、中間段部７３と、第二接続部７４と、上段部７５と、端部側壁７６と、挿通孔７７と、錠取付孔７８と、を有する。
【００５４】
接合部７１は、前後方向を厚み方向とする矩形板状に形成されている。接合部７１は、左右方向に離間して一対設けられている。接合部７１は、カバー本体５１の閉塞部５１ａの後方を向く面のうち、貫通孔５３を間に挟んで左右両側に位置する部分に溶接等によって固定されている（図３も参照）。
第一接続部７２は、各接合部７１における左右方向の内側の端部からそれぞれ後方へ延びている。
中間段部７３は、各第一接続部７２の後端部から左右方向の内側に向かってそれぞれ延びている。中間段部７３は、接合部７１と平行な矩形板状に形成されている。
図３に示すように、不使用位置Ｐ４において、錠支持部５８の右半分（右方側の接合部７１から中間段部７３に至る部分）は、前後方向から見て操作スイッチ４の左端部に重なり合っている。すなわち、操作スイッチ４の前端部と、中間段部７３の後面と、は前後方向で近接している。
【００５５】
第二接続部７４は、各中間段部７３における左右方向の内側の端部からそれぞれ後方へ延びている。第二接続部７４は、中間段部７３の上下方向における中央部に接続されている。第二接続部７４の上下方向の高さ寸法は、中間段部７３の上下方向の高さ寸法よりも小さい。
上段部７５は、左右一対の第二接続部７４の後端部同士を接続している。上段部７５は、中間段部７３と平行な矩形板状に形成されている。上段部７５は、前後方向から見て貫通孔５３と重なり合う位置に配置されている。
端部側壁７６は、中間段部７３の上端及び下端から前方に延びている。
【００５６】
挿通孔７７は、錠支持部５８のうち、右方部に設けられている。挿通孔７７は、接合部７１と、第一接続部７２と、中間段部７３と、の３辺に亘って形成されている。挿通孔７７は、接合部７１、第一接続部７２及び中間段部７３の上下方向の中間部に設けられている。
錠取付孔７８は、上段部７５に設けられている。錠取付孔７８は、上段部７５のうち、前後方向から見て貫通孔５３と重なり合う位置を前後方向に貫通している。錠取付孔７８における前後方向から見た外形は、貫通孔５３よりも大きい。錠取付孔７８は、前後方向から見て円形状に形成されている。錠取付孔７８には錠本体５７が後方から挿入されている（図１１も参照）。
【００５７】
図１０に示すように、押さえ部材５９は、基部８１と、基部８１から二股に分かれて延びる腕部８２と、により前後方向から見てＹ字状に形成されている。押さえ部材５９は、錠支持部５８に錠本体５７を固定するための部材である。押さえ部材５９は、例えばバネ鋼等の金属材料により形成されている。
基部８１は、前後方向を厚さ方向とする平板状に形成されている。基部８１の右端部には把持部８３が設けられている。把持部８３は、基部８１の右端部から前方に延びている。
腕部８２は、基部８１の左端に接続されている。腕部８２は、基部８１の左端のうち、上下方向に離間して一対設けられている。各腕部８２は、基部８１の左端部から左方に延びている。図１１に示すように、腕部８２は、上下方向から見て前方に凸となるように湾曲している。腕部８２の左端部には押圧部８４が設けられている。
【００５８】
このように形成された押さえ部材５９を用いて、錠支持部５８に錠本体５７を固定する方法について詳細に説明する。
図１１に示すように、まず、錠支持部５８の錠取付孔７８に鍵挿入部６７を挿入する。このとき、鍵挿入部６７の前面のうち、外周部分が閉塞部５１ａに後方から当接する。一方、鍵挿入部６７の前面のうち、中央部分は、閉塞部５１ａに設けられた貫通孔５３により前方に露出している。次に、図１０に示すように、押さえ部材５９を腕部８２側から挿通孔７７に挿入する。押さえ部材５９が挿通孔７７に挿入された状態において、腕部８２は、図１１に示すように、錠本体５７の固定溝６９に係合するとともに固定溝６９の内面に当接している。また、基部８１及び押圧部８４は、錠支持部５８の中間段部７３にそれぞれ当接している。これにより、錠本体５７が錠取付孔７８から離脱するのを抑制し、錠本体５７が錠支持部５８に固定される。また、押さえ部材５９は、固定溝６９の内面と中間段部７３との間で錠本体５７を前方に付勢している。よって、錠本体５７が押さえ部材５９により前方へ押圧され、錠本体５７のがたつきが抑制される。
【００５９】
図３に戻って、このように形成された錠本体５７は、不使用位置Ｐ４において、操作スイッチ４よりも左方に配置されている。具体的に、左右方向から見て、錠本体５７の後部（錠支持部５８から後方に突出した部分）が操作スイッチ４に重なり合って配置される。
【００６０】
次に、天板昇降式什器１の使用方法について説明する。
使用前の状態において、カバー部材５は、操作スイッチ４の前方を覆う不使用位置Ｐ４に配置され、施錠部５２により不使用位置Ｐ４に係止されている。天板２を昇降する時は、まず、図４に示すように、正面に露出した施錠部５２の鍵穴６７ａに鍵を挿入して反時計回りに回転させることにより、施錠部５２を開錠する。
次に、使用者は、カバー部材５を左方へスライド移動させて、カバー部材５を使用位置Ｐ５に配置する。これにより、操作スイッチ４の操作部４２が前方に露出する（図７の状態）。
【００６１】
次に、図２に示すように、操作部４２における操作入力部４７に指Ｍをかけ、操作入力部４７を上方位置Ｐ２まで回動する。操作入力部４７が上方位置Ｐ２に配置されると、トグルスイッチ１７、昇降制御部４４及び駆動機構３７（いずれも図１参照）を介して天板２が上昇動作を開始する。操作入力部４７が上方位置Ｐ２に位置している間、天板２は上昇を続ける。使用者は、天板２が所望の高さになったら操作入力部４７から指Ｍを離し、上昇動作を停止する。
なお、天板２を下降させたいときは、操作入力部４７を下方位置Ｐ３まで回動させ、天板２が所望の高さになったら操作入力部４７から指Ｍを離し、下降動作を停止する。
【００６２】
天板２の高さ調節が完了した後、使用者は、カバー部材５を右方へスライド移動させて、カバー部材５を不使用位置Ｐ４に配置する。これにより、操作スイッチ４の操作部４２がカバー部材５によって覆われる。よって、使用者の意図しない接触により天板２が昇降動作するのを抑制できる。
【００６３】
さらに、使用者が天板昇降式什器１から離れる時は、施錠部５２によりカバー部材５を不使用位置Ｐ４に係止する。具体的に、使用者は、カバー部材５が不使用位置Ｐ４に配置された状態で、使用者は、施錠部５２の鍵穴６７ａに鍵を挿入して時計回りに回転させて、施錠部５２を施錠する。これにより、使用者以外の人物により操作スイッチ４が操作されるのを抑制できる。
【００６４】
（作用、効果）
次に、上述した天板昇降式什器１の作用、効果について説明する。
本発明の態様に係る天板昇降式什器１によれば、操作部４２を操作することにより、天板２が上下方向に移動する。カバー部材５は操作スイッチ４に対して相対移動可能とされているので、操作部４２の使用時にカバー部材５を使用位置P５へ配置することにより、操作部４２を前方に露出させることができる。これにより、操作部４２へ容易にアクセスできる。
一方、操作部４２の不使用時にカバー部材５を不使用位置Ｐ４へ配置することにより、操作部４２を前方から閉塞することができる。これにより、操作スイッチ４への意図しない接触により操作スイッチ４が動作するのを抑制できる。また、カバー部材５が操作部４２を閉塞することにより、使用者以外の人物による操作スイッチへのアクセスを抑制できる。これにより、天板２の高さを使用者にとって最適な高さに維持しておくことができる。よって、使用者の使い勝手を向上できる。
したがって、操作スイッチ４への意図しない接触により操作スイッチ４が動作するのを抑制するとともに使用者の使い勝手を向上した天板昇降式什器１を提供できる。
【００６５】
操作スイッチ４及びカバー部材５の少なくとも一方は施錠部５２を有するので、施錠部５２により施錠することにより、操作部４２とカバー部材５との相対位置を不使用位置Ｐ４に係留できる。また、施錠部５２の鍵を所有する使用者以外の人物による操作スイッチ４へのアクセスを制限できる。よって、操作スイッチ４への意図しない接触により操作スイッチ４が動作するのを抑制し、使用者の使い勝手を向上できる。
【００６６】
錠本体５７は、不使用位置Ｐ４において操作スイッチ４よりも左方に配置される構成とした。これにより、錠本体５７と操作スイッチ４とを前後方向において同等の位置（左右方向から見て重なり合う位置）に配置した場合であっても、錠本体５７と操作スイッチ４との干渉を抑制できる。よって、錠本体５７及び操作部４２を天板２の下面２ｂにおける前方に配置し、使用者の使い勝手を向上できる。また、カバー部材５の前後方向の寸法を小型化できる。
【００６７】
施錠部５２は、カバー本体５１の左右方向における中央部に設けられているので、前方から見たカバー部材の外観を左右対称とすることができる。これにより、前方から見たカバー部材の外観の体裁を向上できる。
【００６８】
操作スイッチ４及びカバー部材５は、天板２の下面に設けられている構成とした。この構成によれば、作業面である天板２の上面２ａに操作スイッチ４及びカバー部材５を配置する必要がないので、作業面を広く確保できる。よって、使用者の作業効率を向上できる。また、操作スイッチ４及びカバー部材５は天板２の下面２ｂに設けられているので、操作スイッチ４及びカバー部材５が例えば什器の側部や下部に設けられた場合と比較して、使用者の下肢が接触することによる意図しない操作スイッチ４の作動を抑制できる。よって、天板昇降式什器１の使い勝手を向上できる。
【００６９】
カバー部材５により操作スイッチ４の全体を覆うことで、操作スイッチ４への意図しない接触をより一層抑制できる。また、前方から見て操作スイッチ４の全体が覆われるので、使用者以外の人物から操作スイッチ４を発見し難い。よって、使用者以外の人物による操作スイッチ４へのアクセスをより一層抑制し、使用者にとっての使い勝手を向上できる。
【００７０】
カバー部材５が移動可能に構成されているので、操作スイッチ４を天板昇降式什器１に固定できる。これにより、操作スイッチ４の配線を天板昇降式什器１に固定できる。よって、操作スイッチ４が移動可能に構成される場合と比較して、カバー部材５及び操作スイッチ４の構成を簡素化できる。
【００７１】
カバー部材５が左右方向にスライド移動することにより、カバー部材５を使用位置Ｐ５と不使用位置Ｐ４とに配置できる。このようにカバー部材５が左右方向に移動するので、前後方向の空間を広く確保できる。よって、操作スイッチ４及びカバー部材５の前後方向の寸法を小型化できる。また、操作スイッチ４を天板２の下面２ｂにおける前側に配置できる。よって、操作スイッチ４の操作性を向上できる。
【００７２】
カバー部材５は閉塞部５１ａを有するので、不使用位置Ｐ４において閉塞部５１ａが操作部４２の前方を覆うことにより、操作部４２へのアクセスを抑制できる。カバー部材５は取付部５１ｂを有し、取付部５１ｂに形成された長孔６３を介して天板２にカバー部材５が取り付けられているので、簡素な構成によりカバー部材５を左右方向にスライド移動させ、使用位置Ｐ５と不使用位置Ｐ４とに配置できる。また、操作スイッチ４に対して左右方向にずれた位置に長孔６３が設けられるので、操作スイッチ４及びカバー部材５の前後方向の寸法を小型化できる。よって、使用者の使い勝手を向上した天板昇降式什器１とすることができる。
【００７３】
（第２実施形態）
次に、本発明に係る第２実施形態について説明する。本実施形態では、施錠部５２と操作スイッチ４とが前後方向から見て重なっている点で上述した実施形態と相違している。
図１２は、本発明の第２実施形態における操作スイッチ４及びカバー部材５の不使用位置Ｐ４における上面図である。図１３は、上記操作スイッチ４及びカバー部材５の使用位置Ｐ５における上面図である。以下の説明において、上述した第１実施形態と同様の構成については、同一の符号を付して適宜説明を省略する。また、図１２及び図１３に記載された以外の構成に係る符号については、適宜図１から図１１を参照されたい。
【００７４】
図１２に示すように、本実施形態において、施錠部５２は、不使用位置Ｐ４において操作スイッチ４の前方に配置されている。また、カバー本体５１の取付部５１ｂは、前方延長部６６を有する。前方延長部６６は、取付部５１ｂのうち上壁６１の前方から右方に延びている。前方延長部６６は、上壁６１と同一平面上に形成されている。前方延長部６６の前端部は、閉塞部５１ａの上端部に接続されている。前方延長部６６は、上下方向から見て左右に長手方向を有する矩形状に形成されている。上壁６１、後方延長部６２及び前方延長部６６により、取付部５１ｂは上下方向から見てＵ字状に形成されている。前方延長部６６には第一長孔６４が形成されている。第一長孔６４は、左右方向において第二長孔６５と同じ位置に設けられている。
【００７５】
本実施形態によれば、施錠部５２は、不使用位置Ｐ４において操作スイッチ４の前方に配置されている。また、第一長孔６４と、第二長孔６５と、は左右方向において同じ位置に設けられている。これにより、図１２及び図１３に示すように、カバー本体５１の左右方向の寸法を小型化できる。
【００７６】
（第３実施形態）
次に、本発明に係る第３実施形態について説明する。本実施形態では、操作スイッチ４が移動可能に構成されている点で上述した実施形態と相違している。
図１４は、本発明の第３実施形態における操作スイッチ４及びカバー部材５の側面図である。
【００７７】
本実施形態において、天板２の下面２ｂには、操作スイッチ４を収容可能な収容凹部２２が形成されている。なお、本実施形態では、天板２の前端部において、収容凹部２２の前壁を構成する部分がカバー部材５とされている。すなわち、本実施形態のカバー部材５は、天板２と一体に形成されている。収容凹部２２の後方の壁面には、スイッチ支持部材４９が軸線Ｏを回転中心として回動可能に取り付けられている。スイッチ支持部材４９は、操作スイッチ４を支持している。具体的に、スイッチ支持部材４９は、左右方向に沿う軸線Ｏを回転中心として、操作スイッチ４が収容凹部２２内に収容される不使用位置Ｐ４と、操作スイッチ４が収容凹部２２から下方に露出する使用位置Ｐ５と、の間で回動可能とされている。
【００７８】
本実施形態によれば、操作スイッチ４を回動させることにより、不使用位置Ｐ４と使用位置Ｐ５との間で操作スイッチ４とカバー部材５とを相対移動させることができる。不使用位置Ｐ４において、操作スイッチ４は天板２の収容凹部２２に収容されるので、下面２ｂを平坦にするとともに、前方から見て操作スイッチ４の全体を覆うことができる。これにより、使用者以外の人物から操作スイッチ４を発見し難い。よって、使用者以外の人物による操作スイッチ４へのアクセスをより一層抑制し、使用者にとっての使い勝手を向上できる。
【００７９】
（第４実施形態）
次に、本発明に係る第４実施形態について説明する。本実施形態では、カバー部材５が回動可能に構成されている点で上述した実施形態と相違している。
図１５は、本発明の第４実施形態における操作スイッチ４及びカバー部材５の側面図である。
【００８０】
本実施形態において、カバー部材５は、上方が開口した箱状に形成されている。カバー部材５の後端部は、天板２の下面２ｂに軸線Ｏを回転中心として回動可能に取り付けられている。具体的に、カバー部材５は、左右方向を軸方向とする軸線Ｏを回転中心として、下面２ｂに固定された操作スイッチ４を下方から覆う不使用位置Ｐ４と、操作スイッチ４を天板２の下方に露出する使用位置Ｐ５と、の間で回動可能とされている。
【００８１】
本実施形態によれば、カバー部材５を回動させることにより、不使用位置Ｐ４と使用位置Ｐ５との間で操作スイッチ４とカバー部材５とを相対移動させることができる。不使用位置Ｐ４において、カバー部材５は操作スイッチ４の全体を下方から覆うことができる。よって、使用者以外の人物による操作スイッチ４へのアクセスを抑制し、使用者にとっての使い勝手を向上できる。
【００８２】
（第５実施形態）
次に、本発明に係る第５実施形態について説明する。本実施形態では、カバー部材５が上下方向を軸方向として回動可能とされている点で上述した実施形態と相違している。
図１６は、本発明の第５実施形態における操作スイッチ４及びカバー部材５の上面図である。
【００８３】
本実施形態において、カバー部材５は、例えばボルト９９等により天板２の下面２ｂに取り付けられている。ボルト９９は、操作スイッチ４の右方に取り付けられている。カバー部材５は、ボルト９９の軸方向（上下方向）を回転軸として回動可能に取り付けられている。操作スイッチ４の左方には、被嵌合部９４が設けられている。被嵌合部９４は、天板２の下面２ｂに取り付けられている。カバー部材５のうち、回転軸と反対側の端部には、嵌合部９３が設けられている。カバー部材５が回動して嵌合部９３が被嵌合部９４に嵌合することにより、カバー部材５は、操作スイッチ４を前方から覆っている。
【００８４】
本実施形態によれば、カバー部材５を回動させることにより、カバー部材５が操作スイッチ４を前方から覆う不使用位置Ｐ４と、操作スイッチ４を前方に露出する使用位置Ｐ５と、の間で操作スイッチ４とカバー部材５とを相対移動させることができる。よって、操作スイッチ４への意図しない接触により操作スイッチ４が動作するのを抑制できる。
なお、本実施形態において、施錠部５２が別途設けられていてもよい。
【００８５】
なお、本発明の技術範囲は上述した実施形態に限定されるものではなく、本発明の趣旨を逸脱しない範囲において種々の変更を加えることが可能である。
例えば、本実施形態において、錠本体５７は、突出片６８が上下にスライド移動することにより施錠及び開錠を行う構成について説明したが、これに限らない。突出片６８が回動することにより開錠及び施錠を行う構成であってもよい。また、錠本体５７は、例えば鍵を回して開錠及び施錠を行う公知の錠を用いてもよく、鍵以外の施錠手段を用いてもよい。また、施錠部５２はなくてもよい。
【００８６】
カバー部材５は、長孔６３とねじ１１により左右方向にスライド移動可能な構成について説明したが、これに限らない。例えば、天板２の下面２ｂに左右方向に延びるレール状の部材を設け、レール状の部材にカバー部材が取り付けられることによりスライド移動可能に構成されていてもよい。
カバー部材５は、例えば前後方向にスライド移動可能に構成されていてもよい。
【００８７】
操作部４２は、例えばリンク機構を別途設けることにより、筐体４１内を上下方向に平行移動するように構成されていてもよい。また、操作部４２は、ボタンや引き棒等であってもよい。
【００８８】
天板２のサイズや上下方向から見た形状等は、適宜変更が可能である。例えば、天板２は、上下方向から見て円形状や楕円形状、多角形状等に形成されていてもよい。
また、脚体３の個数は上述した実施形態に限らない。
天板昇降式什器１としては、例えば棚等、デスク以外の天板を有する什器であってもよい。
操作スイッチ４が移動可能に構成されてもよく、操作スイッチ４及びカバー部材５の両方が移動可能に構成されてもよい。
操作スイッチ４及びカバー部材５は、例えば天板２の上面や側面等、天板２の下面２ｂ以外の場所に設けられてもよい。
【００８９】
その他、本発明の趣旨を逸脱しない範囲で、上述した実施形態における構成要素を周知の構成要素に置き換えることは適宜可能であり、また、上述した実施形態や変形例を適宜組み合わせてもよい。
【符号の説明】
【００９０】
１  天板昇降式什器
２  天板
２ｂ  （天板の）下面
３  脚体
４  操作スイッチ
５  カバー部材
３３  昇降機構ユニット
４２  操作部
５１ａ  閉塞部
５１ｂ  取付部
５２  施錠部
６３  長孔
Ｐ４  不使用位置
Ｐ５  使用位置
【図１】
2020178772.tif 000003
【図２】
2020178772.tif 000004
【図３】
2020178772.tif 000005
【図４】
2020178772.tif 000006
【図５】
2020178772.tif 000007
【図６】
2020178772.tif 000008
【図７】
2020178772.tif 000009
【図８】
2020178772.tif 000010
【図９】
2020178772.tif 000011
【図１０】
2020178772.tif 000012
【図１１】
2020178772.tif 000013
【図１２】
2020178772.tif 000014
【図１３】
2020178772.tif 000015
【図１４】
2020178772.tif 000016
【図１５】
2020178772.tif 000017
【図１６】
2020178772.tif 000018